(57)【特許請求の範囲】
【請求項１】
ケースに対して揺動自在に枢着されたハンドルの揺動に伴ってオンオフされるスイッチ機構を有し、前記スイッチ機構をオンさせる前記ハンドルの揺動により連動して移動して永久磁石の磁力によって吸着保持され、外部信号により前記永久磁石による吸着力が弱められると前記吸着が解除されて、前記ハンドルを反転揺動させ、前記スイッチ機構をオフする磁性駆動手段を有したリセット機構を前記ケースに配設し、前記リセット機構は、永久磁石と、ヨークと、ばねと、前記ばねの付勢力により一方向に付勢された前記磁性駆動手段である鉄芯と、前記鉄芯の周囲に配置される励磁コイルとにより構成されるとともに、前記スイッチ機構をオンさせる前記ハンドルの揺動で前記鉄芯は前記ばねの付勢力に抗して前記ハンドルにより押動されて前記永久磁石の磁力によって前記ヨークに吸着され、前記鉄芯、ヨーク、永久磁石により閉磁路が形成されて吸着状態が保持され、外部信号により前記励磁コイルに、前記鉄芯の前記永久磁石による吸着力を弱める方向に通電されると、前記吸着が解除されて前記鉄芯が前記ばねの付勢方向に変位し、前記ハンドルを反転揺動して前記スイッチ機構をオフするよう構成され、さらに前記リセット機構は、前記鉄芯が挿通される貫通孔を有し周囲に前記励磁コイルが巻回されるコイルボビンに、前記永久磁石、ヨークおよびばねが一体的に配置されて、前記ケースに配設され、前記貫通孔の前記コイルボビン上面側の開口部周辺に隔壁を設けたことを特徴とするリセット機構付きスイッチ。
【請求項２】
前記コイルボビンは前記ケースに設けられた孔部に嵌合する嵌合爪を備えていることを特徴とする請求項１に記載のリセット機構付きスイッチ。
【請求項３】
前記ケースの上面に前記ハンドルが枢着され、前記貫通孔の形成方向が前記ケースの上下方向になるように前記コイルボビンが前記ケースに配設され、前記永久磁石は前記貫通孔を挟んで両側に２つ配置されるとともに、前記ヨークは略コ字状に形成され、その両側片が前記各永久磁石のそれぞれに対向し、前記両側片に挟まれた中間片が前記貫通孔の前記コイルボビン底面側の開口部に対向するように、前記ヨークが前記コイルボビンの外面に配置され、前記開口部より露出する前記鉄芯の一端が前記ヨークの中間片に吸着されることを特徴とする請求項１または請求項２に記載のリセット機構付きスイッチ。
【請求項４】
前記ケースは、前記スイッチ機構と前記リセット機構を分離する分離片を有していることを特徴とする請求項１から請求項３のいずれかに記載のリセット機構付きスイッチ。
【請求項５】
前記スイッチ機構が２つ設けられていることを特徴とする請求項１から請求項４のいずれかに記載のリセット機構付きスイッチ。
【発明の詳細な説明】
【０００１】
【発明の属する技術分野】
本発明は、リセット機構付きのスイッチに関するものである。
【０００２】
【従来の技術】
従来のこの種のスイッチとしては、次に示すものがあった。図８にその正面断面図を、図９（ａ），（ｂ）にその側面断面図を示す。この従来技術は図示したように、ケース１００に対して揺動自在に枢着されたハンドル１０１と、このハンドル１０１の揺動に伴ってオン、オフされるスイッチ機構を有している。このスイッチ機構のオン、オフ状態の切り替えは、ハンドル１０１の揺動に連動する図示せぬ可動接点を固定接点と接触、非接触させることで行う。そして、ケース１００内には、一対の脚片を有する鉄芯１０４の一方の脚片に励磁コイル１０５を巻回したコイルボビン１０３が装着された電磁石１０２が収容されている。
【０００３】
また、ハンドル１０１の下面には、鉄芯１０４の両脚片の先端部に隣接可能な鉄片からなる接極子１０６が固着してあり、接極子１０６は鉄芯１０４の両脚片に対応して一対あり、両接極子１０６の間にはフェライト系の永久磁石１０７が取り付けている。
【０００４】
そして、図９（ａ）に示すように手動でハンドル１０１の右端部をケース１００に押し込んだ状態では、上記スイッチ機構がオン状態となり、反対に図９（ｂ）に示すように手動でハンドル１０１の左端部をケース１００に押し込んだ状態では、上記スイッチ機構がオフ状態となる。ハンドル１０１には後述するリセット機構を構成する復帰ばね１０８が、右端部を常に上方に付勢するよう設けられており、ハンドル１０１の右端部を押し込むと、復帰ばね１０８のばね力に抗して、接極子１０６が鉄芯１０４に当接して永久磁石１０７の磁力により吸着され、ハンドル１０１の押し込み状態が保持されてスイッチ機構がオン状態になる。
【０００５】
また本スイッチは、図９（ａ）のようにハンドル１０１の右端部が押し込まれスイッチ機構がオン状態であるときに、外部信号により、上記した永久磁石１０７の磁力による吸着力を打ち消す方向に電磁石１０２の励磁コイル１０５に通電されると、鉄芯１０４と接極子１０６との間に反発力が生じ、ハンドル１０１が復帰ばね１０８のばね力によって反転揺動し、スイッチ機構がオフ状態になるリセット機構を有している。
【０００６】
【発明が解決しようとする課題】
しかしながら、上記したリセット機構を構成する永久磁石１０７と電磁石１０２が、それぞれハンドル１０１とケース１００とに分かれて配置されているため、ハンドル１０１とケース１００の寸法ばらつき、また組立ばらつきによって、接極子１０６と鉄芯１０４との吸着部の磁気吸着状態が変化する。よって、上記永久磁石１０７による吸着力を打ち消すための励磁コイル１０５への入力電圧（リセット電圧）などのリセット機構の動作特性を吸着部の吸着状態に対応する所望のものとするために、製造工程でリセット機構の動作特性などを管理する必要があった。
【０００７】
また、上記した吸着状態のばらつきを抑えるために、ケース１０１への電磁石１０２の組立位置の精度を高めることが必要となり、図１０に示すように電磁石１０２をケース１００に精度よくかしめていた。つまり、電磁石１０２のコイルボビン１０３に設けられた外部端子１１５ａ，１１５ｂがケース１００にかしめ取付部１１４ａ，１１４ｂにてかしめ取付されていた。電磁石１０２をケース１００へかしめる場合、かしめ工程と寸法管理が必要となり、製造工程が複雑となるとともに、その廃棄の際などの電磁石１０２とケース１００の分解が容易にできず、分別廃棄やリサイクルが困難となっていた。
【０００８】
本発明は上記事由に鑑みて為されたものであり、その目的は製造工程が簡単であり、廃棄やリサイクルが容易であるリセット機構付きスイッチを提供することにある。
【０００９】
【課題を解決するための手段】
上記課題を解決するために、請求項１の発明は、ケースに対して揺動自在に枢着されたハンドルの揺動に伴ってオンオフされるスイッチ機構を有し、前記スイッチ機構をオンさせる前記ハンドルの揺動により連動して移動して永久磁石の磁力によって吸着保持され、外部信号により前記永久磁石による吸着力が弱められると前記吸着が解除されて、前記ハンドルを反転揺動させ、前記スイッチ機構をオフする磁性駆動手段を有したリセット機構を前記ケースに配設し、前記リセット機構は、永久磁石と、ヨークと、ばねと、前記ばねの付勢力により一方向に付勢された前記磁性駆動手段である鉄芯と、前記鉄芯の周囲に配置される励磁コイルとにより構成されるとともに、前記スイッチ機構をオンさせる前記ハンドルの揺動で前記鉄芯は前記ばねの付勢力に抗して前記ハンドルにより押動されて前記永久磁石の磁力によって前記ヨークに吸着され、前記鉄芯、ヨーク、永久磁石により閉磁路が形成されて吸着状態が保持され、外部信号により前記励磁コイルに、前記鉄芯の前記永久磁石による吸着力を弱める方向に通電されると、前記吸着が解除されて前記鉄芯が前記ばねの付勢方向に変位し、前記ハンドルを反転揺動して前記スイッチ機構をオフするよう構成され、さらに前記リセット機構は、前記鉄芯が挿通される貫通孔を有し周囲に前記励磁コイルが巻回されるコイルボビンに、前記永久磁石、ヨークおよびばねが一体的に配置されて、前記ケースに配設され、前記貫通孔の前記コイルボビン上面側の開口部周辺に隔壁を設けたことを特徴とする。よって、リセット機構がケース内に配設されるので、ケースとハンドルの寸法、組立ばらつきがあっても、リセット機構の磁性駆動手段の吸着状態に影響はなく、製造工程での特別な管理がない状態でも、磁性駆動手段の永久磁石による吸着力を弱めてリセット機構を動作させる動作特性を吸着状態に対応する所望のものとすることができる。また、リセット機構が容易にケースに取り付けられる。さらに、前記貫通孔の前記コイルボビン上面側の開口部より貫通孔の内部に外部の金属粉などが侵入するのを防止し、貫通孔の底面側に設けられた吸着部への外部金属粉などの侵入を防ぐことができる。そのため、前記吸着部の吸着不良を防いで、ハンドルの揺動を確実にし、スイッチ機構が確実にオンするようになる。さらにまた、一旦スイッチ機構をオンさせるハンドル操作により鉄芯がヨークに吸着されると、その後のハンドルの揺動に関係なく吸着状態が保持されるため、スイッチ機構をオンさせるハンドル操作の度に、鉄芯とヨークが吸着することがないので、ハンドルの操作性が向上する。
【００１１】
また、請求項２の発明は、請求項１記載の発明において、前記コイルボビンは前記ケースに設けられた孔部に嵌合する嵌合爪を備えていることを特徴とする。よって、嵌合爪をケースの孔部に挿入するだけで、簡単にコイルボビンをケースに取り付けることができる。また、嵌合させて取り付けを行っているため、コイルボビンをケースから分解することも容易に行うことができ、それぞれの分別廃棄、リサイクルが容易になる。
【００１２】
また、請求項３の発明は、請求項１または請求項２に記載の発明において、前記ケースの上面に前記ハンドルが枢着され、前記貫通孔の形成方向が前記ケースの上下方向になるように前記コイルボビンが前記ケースに配設され、前記永久磁石は前記貫通孔を挟んで両側に２つ配置されるとともに、前記ヨークは略コ字状に形成され、その両側片が前記各永久磁石のそれぞれに対向し、前記両側片に挟まれた中間片が前記貫通孔の前記コイルボビン底面側の開口部に対向するように、前記ヨークが前記コイルボビンの外面に配置され、前記開口部より露出する前記鉄芯の一端が前記ヨークの中間片に吸着されることを特徴とする。よって、鉄芯とヨークの吸着部がケース上面のハンドルが枢着されたところより離れたコイルボビンの底部に配置されており、外部の金属粉などの吸着部への侵入を防ぐことができる。また、永久磁石が前記吸着部の上方に位置するので、上方より侵入する外部の金属粉などが永久磁石で吸着され、前記鉄芯とヨークの吸着部への侵入をより防ぐことができ、吸着部の吸着不良を防止して、ハンドルの揺動を確実にし、スイッチ機構が確実にオンするようになる。
【００１４】
また、請求項４の発明は、請求項１から請求項３のいずれかに記載の発明において、前記ケースは、前記スイッチ機構と前記リセット機構を分離する分離片を有していることを特徴とする。よって、スイッチ機構とリセット機構の絶縁が可能となる。
【００１５】
また、請求項５の発明は、請求項１から請求項４のいずれかに記載の発明において、前記スイッチ機構が２つ設けられていることを特徴とする。よって、同時に２つの電気回路のスイッチを切り換えることができる。
【００１６】
【発明の実施の形態】
本発明の実施形態を図面に基づいて説明する。図１はリセット機構が動作していないときのスイッチの正面断面図を、図２（ａ）（ｂ）はリセット機構が動作していないときのハンドルを操作した各場合におけるスイッチの側面断面図を、図３はリセット機構が動作したときのスイッチの側面断面図を、図４はスイッチ機構を示す側面断面図を表している。
【００１７】
樹脂製のケース１の上面は開口され、この開口部を覆うようにハンドル２が揺動自在に取付部７にて枢着される。ハンドル２は、揺動時にハンドル２の両端の何れか一方の端部がケース１の上面から突出するような形状に形成されており、突出している端部を押し込めばハンドル２を揺動させることができる。
【００１８】
ケース１の両側面側にはそれぞれ固定端子２７と接点端子２８が設けられており、固定端子２７には可動片２９が接触するよう設けられている。可動片２９は、一端にくぼみ部２９ａを有しており、他端には接点端子２８の端子部２８ａと接触する接触子２９ｂが設けられている。可動片２９のくぼみ部２９ａには反転ばね３０の一端部が装着され、反転ばね３０の他端部は、ハンドル２の裏面に設けられた保持筒２ｂに挿入されている。
【００１９】
図４ではハンドル２の左端部が押し込まれた状態を示しており、可動片２９の接触子２９ｂは接点端子２８の端子部２８ａと離れた状態であり、固定端子２７と接点端子２８は非導通である。ここで、ハンドル２の右端部が押し込まれると、反転ばね３０が反転して可動片２９の接触子２９ｂが接点端子２８の端子部２８ａと接触し、固定端子２７と接点端子２８が導通する。これら固定端子２７、接点端子２８、可動片２９、反転ばね３０はスイッチ機構を構成しており、このようなハンドル２の揺動により、固定端子２７と接点端子２８の導通、非導通が切り換えられ、スイッチ機構のオンオフ状態が切り換えられる。このスイッチ機構は、図１に示すようにスイッチの正面からみて左右の端部にそれぞれ設けられており、各スイッチ機構が設けられる各端部と、後述するリセット機構が設けられる中央部との間には分離片３５ａ，３５ｂが設けられて、各スイッチ機構とリセット機構が絶縁されている。またこのように、スイッチ機構が２つ設けられているため、同時に２つの電気回路のスイッチを切り換えることができる。
【００２０】
また、ケース１の正面からみて中央部には、その底部にコイルボビン４が縦置きにして取り付けられている。このコイルボビン４は周囲に励磁コイル５が巻回される筒部１０と、その上部に形成され永久磁石１４を保持する永久磁石保持部１２と、さらにその上部に形成されその周囲に復帰ばね９が保持される筒形状の復帰ばね保持部（図示せぬ）を有しており、筒部１０の下部に設けられケース１の側面横方向に長さを有する底部１１にてケース１に取り付けられている。また、励磁コイル５の両端は、コイルボビン４の底部１１に設けられた一対の端子２１，２１にそれぞれ接続され、ケース１の底面より外部に引き出される。
【００２１】
このコイルボビン４には上端部の復帰ばね保持部から下端部の底部１１にかけてケース１の上下方向に貫通する略直方体形状の空間からなる貫通孔１５が形成され、その貫通孔１５には略直方体の板形状であり、上端部には復帰ばね９の上端に係止する他より幅広に形成された係止部１６ｂが設けられた磁性駆動手段である鉄芯１６が挿通されている。この鉄芯１６を円柱状でなく、略直方体の形状として省スペース化を図っている。
【００２２】
上記永久磁石保持部１２は、筒部１０上部に貫通孔１５を挟んで正面からみて左右両側に設けられており、それぞれ貫通孔１５と反対側の一面が開口した略直方体状の空間を有している。各永久磁石保持部１２にはそれぞれ、略直方体状であり磁性体のスペーサ１８と、希土類であり貫通孔１５と直交する方向の幅が薄い直方体形状の上記永久磁石１４が、貫通孔１５から外方向に向かって永久磁石１４、スペーサ１８の順で保持されている。この各永久磁石１４は、貫通孔１５に挿通される板形状の鉄芯１６の広い面積を有する側面に対向するよう配置されている。
【００２３】
図７に永久磁石保持部１２に永久磁石１４を挿入する状態を示している。尚、図７では、コイルボビン４のうち永久磁石保持部１２の部分だけを図示しており、その上部の復帰ばね９を保持する部分、およびその下部の筒部１０の図示を省略している。永久磁石保持部１２は、上記のように永久磁石１４、スペーサ１８が挿入され保持される保持空間５０を有しており、保持空間５０周囲の上下左右の側壁のうち、左右の側壁５１，５２には永久磁石１４を挿入するＰ方向に円弧状にへこんだ凹部５１ａ，５２ａが設けられている。そのため、永久磁石１４の両端を２本の挟持部６０，６１を有する組立治具で挟持して永久磁石保持部１２の保持空間５０に挿入する際、挟持部６０，６１の端部６０ａ，６１ａが側壁５１，５２に接触することがなく容易に挿入することができる。また、永久磁石保持部１２は、永久磁石１４の貫通孔１５に対向する一面も開口部５３が開口している。尚、永久磁石保持部１２の図中背面側も同様の形状をしており、永久磁石１４が保持される。
【００２４】
また、コイルボビン４の外面には側部と底部を覆うように、正面から見てコ字形状の磁性体であるヨーク１７が配置されている。すなわち、ヨーク１７の両側片１７ａのそれぞれが、ヨーク１７の両端部で、スペーサ１８を挟んで上記各永久磁石１４と対向し、両側片１７ａに挟まれた底部の中間片１７ｂが貫通孔１５のコイルボビン４底面側の開口部と対向するようにヨーク１７が配置されている。ここで、コイルボビン４底面側の貫通孔１５の開口部より露出する鉄芯１６の一端部１６ａがヨーク１７の中間片１７ｂに吸着され、この吸着部の上方に上記各永久磁石１４が配置される。
【００２５】
図６（ａ）（ｂ）に示すように、永久磁石保持部１２の上部には、復帰ばね９がその周囲に保持される筒形状の上記した復帰ばね保持部１３が突出形成されており、この復帰ばね保持部１３は、復帰ばね９を保持させる際の復帰ばね９の移動方向である下方に向かって太くなるように突出形成されている。ここで、図６（ａ）（ｂ）は、鉄芯１６を貫通孔１５に挿通していない状態を示しており、復帰ばね９は付勢方向である上方に伸びた状態である。図１に示すように、鉄芯１６の一端部１６ａがヨーク１７に吸着された状態では、貫通孔１５の上面より飛び出る鉄芯１６の他端部に設けられた係止部１６ｂとコイルボビン４の永久磁石保持部１２の上面との間に復帰ばね９が固定される。
【００２６】
このように、復帰ばね９を図１に示すように固定するまでの間、復帰ばね保持部１３に復帰ばね９を保持することで、復帰ばね９を仮固定でき、倒れたり脱落したりすることを防止して組立性が向上する。また、復帰ばね保持部１３は、復帰ばね９を保持させる際、復帰ばね保持部１３への復帰ばね９の移動方向に向かって太くなる形状であるため、復帰ばね９を復帰ばね保持部１３の外面に引っかかることなく容易に復帰ばね保持部１３の周囲に配置できる。
【００２７】
また永久磁石保持部１２の上部には、復帰ばね保持部１３のケース１側面方向右側に、復帰ばね保持部１３の上端より高く形成され、ケース１側面と直交方向に主面を有する片状の隔壁２５が設けられている。すなわち隔壁２５は、復帰ばね保持部１３の上面に開口している貫通孔１５の開口部周辺に設けられ、その開口部より貫通孔１５の内部に外部の金属粉などが侵入するのを防止している。よって、貫通孔１５の底面側に設けられた吸着部への外部金属粉などの侵入を防ぐことができる。
【００２８】
この復帰ばね９、永久磁石１４、鉄芯１６、励磁コイル５、ヨーク１７によりリセット機構が構成され、このリセット機構は上述したように、コイルボビン４に一体化して配置される。よって、このリセット機構のケース１への取り付けが容易である。このリセット機構は、鉄芯１６が復帰ばね９により常時上方に付勢されており、ハンドル２により下方に押動され、鉄芯１６の一端部１６ａが、一旦、ヨーク１７の中間片１７ｂに吸着されると、鉄芯１６、永久磁石１４、スペーサ１８、ヨーク１７に形成された閉磁路により、その吸着状態が保持されるようになる。
【００２９】
また、コイルボビン４の底部１１の長さ方向の両端部には、ケース１の底面に設けられた孔部に嵌合する嵌合爪２０ａ，２０ｂが設けられている。この嵌合爪２０ａ，２０ｂのそれぞれには、図５に示すように、ケース１の孔部に対向する側に嵌合爪２０ａ，２０ｂの孔部への挿入をガイドする斜面２２ａ，２２ｂが設けられ、また挿入後コイルボビン４が上方向へ抜けるのを防止する突部２３ａ，２３ｂが互いに逆方向に突出形成されている。これにより、嵌合爪２０ａ，２０ｂをケース１の孔部に挿入するだけで、簡単にコイルボビン４をケース１に取り付けることができる。また、従来のようにかしめ取り付けを行っておらず、嵌合爪２０ａ，２０ｂを孔部へ挿入するだけの取り付けであるため、コイルボビン４をケース１から分解することも容易に行うことができ、それぞれの分別廃棄、リサイクルが容易になる。
【００３０】
上記ように構成されたスイッチの動作を説明する。図２（ａ）に示すように手動でハンドル２の右端部が押し込まれると、ハンドル２が揺動して、リセット機構は、復帰ばね９の付勢力に抗して、ハンドル２の裏面に設けられた突起部２ａにより、鉄芯１６の上端の係止部１６ｂが下方に押動される。このように、ハンドル２の揺動により連動して鉄芯１６が下方に移動すると、永久磁石の磁力によって磁化された鉄芯１６の一端部１６ａがその磁力によって、ヨーク１７の中間片１７ｂに吸着され、鉄芯１６、永久磁石１４、スペーサ１８、ヨーク１７に閉磁路が形成されて、その吸着状態が保持される。
【００３１】
このようにリセット機構は一旦、鉄芯１６がヨーク１７に吸着されると、その後のハンドル２の揺動に関係なく、同じ状態が保持される。つまり、復帰ばね９、永久磁石１４、鉄芯１６、励磁コイル５、ヨーク１７により構成されるリセット機構がケース１に配設されているため、鉄芯１６とヨーク１７の吸着動作はハンドル２の揺動とは独立している。よって、従来のようにスイッチ機構をオンさせるハンドル２の操作の度に吸着動作がなされてハンドル２の操作感触が悪くなることがない。
【００３２】
一方、スイッチ機構は、ハンドル２の右端部が押し込まれると、ハンドル２の揺動により、図４で示した反転ばね３０が変位し、可動片２９の接触子２９ｂが接点端子２８の端子部２８ａと接触してオン状態となる。
【００３３】
この状態で、図２（ｂ）に示すように、手動でハンドル２の左端部が押し込まれると、ハンドル２が反転揺動し、反転ばね３０が変位し、可動片２９の接触子２９ｂが接点端子２８の端子部２８ａから離れて、スイッチ機構がオフ状態となる。このとき、上記リセット機構は変化せず図２（ａ）で示した場合と同じである。
【００３４】
図２（ａ）に示されるスイッチ機構がオンの状態で、外部信号により一対の端子２１を介して、鉄芯１６のヨーク１７への永久磁石１４による吸着力を弱める方向に励磁コイル５に通電されると、コイルボビン４に挿通された鉄芯１６が励磁されて、その一端部１６ａの吸着力が減少する。そして、鉄芯１６とヨーク１７の吸着が解除されて、図３に示すように復帰ばね９の付勢力により、鉄芯１６が上方に変位して、鉄芯１６の係止部１６ｂによりハンドル２の突起部２ａが上方に押し上げられハンドル２の右端部が上方に反転揺動し、スイッチ機構がオフ状態になる。このようにリセット機構が、外部信号により動作する。
【００３５】
このように、本実施形態においては、永久磁石１４、ヨーク１７、復帰ばね９、鉄芯１６、励磁コイル５により構成されるリセット機構がケース１に配設されているので、ケース１とハンドル２の寸法、組立ばらつきがあっても、鉄芯１６とヨーク１７の吸着部に影響がなく、その吸着状態は変化することがない。よって、製造工程での特別な管理がない状態でも、リセット機構の動作特性を吸着状態に対応する所望のものとすることができる。
【００３６】
また、リセット機構は、貫通孔１５のコイルボビン４底部から露出する鉄芯１６の一端部１６ａとヨーク１７の中間片１７ｂが吸着されるため、その吸着部がケース１の上面のハンドル２が枢着される開口部より離れたコイルボビン４の底部に配置されており、トナーなどの外部金属粉などが吸着部に侵入することを防止することができる。また、吸着部上方の貫通孔１５を挟んで両側にそれぞれ永久磁石１４が配置されているので、上方より侵入するトナーなどの外部金属粉が永久磁石１４で吸着され、上記吸着部への侵入を防ぐことができる。よって、吸着部の吸着不良を防止してハンドルの揺動を確実にし、スイッチ機構が確実にオンするようになる。
【００３７】
また、上記したように本実施形態では、永久磁石１４は希土類の磁石を用いているため、所定の吸着特性を得るために、従来例のようにフェライト系の磁石を用いた場合に比べて、磁石を薄くすることができ、磁気抵抗を小さくすることができ、さらに磁石を薄くした空き部分に、安価な電磁軟鉄などの磁性体のスペーサ１８を付加して、磁気抵抗を小さくしている。よって、永久磁石１４による吸着力を打ち消すための励磁コイル５への入力電圧（リセット電圧）などのリセット機構の特性、すなわち、リセット機構の動作特性を小さくすることができ、安定した品質を確保できる。
【００３８】
【発明の効果】
上記したように請求項１の発明は、ケースに対して揺動自在に枢着されたハンドルの揺動に伴ってオンオフされるスイッチ機構を有し、前記スイッチ機構をオンさせる前記ハンドルの揺動により連動して移動して永久磁石の磁力によって吸着保持され、外部信号により前記永久磁石による吸着力が弱められると前記吸着が解除されて、前記ハンドルを反転揺動させ、前記スイッチ機構をオフする磁性駆動手段を有したリセット機構を前記ケースに配設したため、リセット機構がケース内に配設されるので、ケースとハンドルの寸法、組立ばらつきがあっても、リセット機構の磁性駆動手段の吸着状態に影響はなく、製造工程での特別な管理がない状態でも、磁性駆動手段の永久磁石による吸着力を弱めてリセット機構を動作させる動作特性を吸着状態に対応する所望のものとすることができる。また、前記リセット機構は、永久磁石と、ヨークと、ばねと、前記ばねの付勢力により一方向に付勢された前記磁性駆動手段である鉄芯と、前記鉄芯の周囲に配置される励磁コイルとにより構成されるとともに、前記スイッチ機構をオンさせる前記ハンドルの揺動で前記鉄芯は前記ばねの付勢力に抗して前記ハンドルにより押動されて前記永久磁石の磁力によって前記ヨークに吸着され、前記鉄芯、ヨーク、永久磁石により閉磁路が形成されて吸着状態が保持され、外部信号により前記励磁コイルに、前記鉄芯の前記永久磁石による吸着力を弱める方向に通電されると、前記吸着が解除されて前記鉄芯が前記ばねの付勢方向に変位し、前記ハンドルを反転揺動して前記スイッチ機構をオフするよう構成され、さらに前記リセット機構は、前記鉄芯が挿通される貫通孔を有し周囲に前記励磁コイルが巻回されるコイルボビンに、前記永久磁石、ヨークおよびばねが一体的に配置されて、前記ケースに配設されるため、リセット機構が容易にケースに取り付けられる。さらに、前記貫通孔の前記コイルボビン上面側の開口部周辺に隔壁を設けたため、前記貫通孔の前記コイルボビン上面側の開口部より貫通孔の内部に外部の金属粉などが侵入するのを防止し、貫通孔の底面側に設けられた吸着部への外部金属粉などの侵入を防ぐことができる。そのため、前記吸着部の吸着不良を防いで、ハンドルの揺動を確実にし、スイッチ機構が確実にオンするようになる。さらにまた、一旦スイッチ機構をオンさせるハンドル操作により鉄芯がヨークに吸着されると、その後のハンドルの揺動に関係なく吸着状態が保持されるため、スイッチ機構をオンさせるハンドル操作の度に、鉄芯とヨークが吸着することがないので、ハンドルの操作性が向上する。
【００４０】
また、請求項２の発明は、請求項１記載の発明において、前記コイルボビンは前記ケースに設けられた孔部に嵌合する嵌合爪を備えているため、嵌合爪をケースの孔部に挿入するだけで、簡単にコイルボビンをケースに取り付けることができる。また、嵌合させて取り付けを行っているため、コイルボビンをケースから分解することも容易に行うことができ、それぞれの分別廃棄、リサイクルが容易になる。
【００４１】
また、請求項３の発明は、請求項１または請求項２に記載の発明において、前記ケースの上面に前記ハンドルが枢着され、前記貫通孔の形成方向が前記ケースの上下方向になるように前記コイルボビンが前記ケースに配設され、前記永久磁石は前記貫通孔を挟んで両側に２つ配置されるとともに、前記ヨークは略コ字状に形成され、その両側片が前記各永久磁石のそれぞれに対向し、前記両側片に挟まれた中間片が前記貫通孔の前記コイルボビン底面側の開口部に対向するように、前記ヨークが前記コイルボビンの外面に配置され、前記開口部より露出する前記鉄芯の一端が前記ヨークの中間片に吸着されるため、鉄芯とヨークの吸着部がケース上面のハンドルが枢着されたところより離れたコイルボビンの底部に配置されており、外部の金属粉などの吸着部への侵入を防ぐことができる。また、永久磁石が前記吸着部の上方に位置するので、上方より侵入する外部の金属粉などが永久磁石で吸着され、前記鉄芯とヨークの吸着部への侵入をより防ぐことができ、吸着部の吸着不良を防止して、ハンドルの揺動を確実にし、スイッチ機構が確実にオンするようになる。
【００４３】
また、請求項４の発明は、請求項１から請求項３のいずれかに記載の発明において、前記ケースは、前記スイッチ機構と前記リセット機構を分離する分離片を有しているため、スイッチ機構とリセット機構の絶縁が可能となる。
【００４４】
また、請求項５の発明は、請求項１から請求項４のいずれかに記載の発明において、前記スイッチ機構が２つ設けられているため、同時に２つの電気回路のスイッチを切り換えることができる。
【図面の簡単な説明】
【図１】本発明のリセット機構付きスイッチのリセット機構が動作していないときの構造を示す正面断面図である。
【図２】本発明のリセット機構付きスイッチのリセット機構が動作していないときのハンドル操作をした各場合における構造を示す図であって、（ａ）（ｂ）はいずれも側面断面図である。
【図３】本発明のリセット機構付きスイッチのリセット機構が動作したときの構造を示す側面断面図である。
【図４】本発明のリセット機構付きスイッチの構造を示す他の側面断面図である。
【図５】本発明のリセット機構付きスイッチにおけるコイルボビンのケースへの取り付け状態を示す側面断面図である。
【図６】本発明のリセット機構付きスイッチにおける復帰ばね保持部に復帰ばねが保持された状態を示す図であって、（ａ）は側面断面図、（ｂ）は正面断面図である。
【図７】本発明のリセット機構付きスイッチの永久磁石保持部に永久磁石を挿入する状態を示す斜視図である。
【図８】従来のリセット機構付きスイッチの構造を示す正面断面図である。
【図９】従来のリセット機構付きスイッチの構造を示す図であって、（ａ）（ｂ）はいずれも側面断面図である。
【図１０】従来のリセット機構付きスイッチにおける電磁石のケースへの取り付け状態を示す側面断面図である。
【符号の説明】
１    ケース
２    ハンドル
４    コイルボビン
５    励磁コイル
９    復帰ばね
１４  永久磁石
１５  貫通孔
１６  鉄芯
１７  ヨーク
１８  スペーサ
２７  固定端子
２９  可動片
３０  反転ばね
【図１】
0003988323.tif 000002
【図２】
0003988323.tif 000003
【図３】
0003988323.tif 000004
【図４】
0003988323.tif 000005
【図５】
0003988323.tif 000006
【図６】
0003988323.tif 000007
【図７】
0003988323.tif 000008
【図８】
0003988323.tif 000009
【図９】
0003988323.tif 000010
【図１０】
0003988323.tif 000011